(57)【要約】【課題】利便性の低下を抑えつつ、合紙の無駄を低減できる印刷装置を提供する。【解決手段】印刷装置１は、用紙に印刷を行うとともに、用紙を仕分けるための合紙を挿入可能な印刷部２と、ユーザごとの１または連続する複数の印刷ジョブの後に合紙を挿入するとともに、連続する２つの同一ユーザの印刷ジョブ間で合紙挿入条件が満たされる場合、当該印刷ジョブ間に合紙を挿入するよう印刷部２を制御する制御部５とを備える。【選択図】図１
2014133328.tif 000002
【特許請求の範囲】
【請求項１】
用紙に印刷を行うとともに、用紙を仕分けるための合紙を挿入可能な印刷部と、
ユーザごとの１または連続する複数の印刷ジョブの後に合紙を挿入するとともに、連続する２つの同一ユーザの印刷ジョブ間で合紙挿入条件が満たされる場合、当該印刷ジョブ間に合紙を挿入するよう前記印刷部を制御する制御部と
を備えることを特徴とする印刷装置。
【請求項２】
前記合紙挿入条件は、連続する２つの同一ユーザの印刷ジョブの少なくともいずれか一方の印刷枚数が所定枚数以上であることを特徴とする請求項１に記載の印刷装置。
【請求項３】
前記合紙挿入条件は、連続する２つの同一ユーザの印刷ジョブに設定された後処理の種類が互いに同じであることを特徴とする請求項１に記載の印刷装置。
【請求項４】
前記合紙挿入条件は、連続する２つの同一ユーザの印刷ジョブにおける用紙種類が互いに同じであることを特徴とする請求項１に記載の印刷装置。
【請求項５】
前記制御部は、ユーザごとの１または連続する複数の印刷ジョブの後に挿入する合紙に、ユーザごとの印刷総枚数を示す情報、各印刷ジョブのジョブ名を示す情報、各印刷ジョブの印刷日時を示す情報、および各印刷ジョブの印刷枚数を示す情報のうちの少なくともいずれか１つを印刷するよう前記印刷部を制御することを特徴とする請求項１乃至４のいずれか１項に記載の印刷装置。
【発明の詳細な説明】
【技術分野】
【０００１】
本発明は、用紙に印刷を行う印刷装置に関する。
【背景技術】
【０００２】
従来、印刷装置で印刷された用紙に仕分けのための合紙を挿入する技術が知られている。この技術では、印刷ジョブ等を仕分け単位として合紙が挿入される。
【０００３】
ところで、ユーザにとって、自身の印刷物が他と区別されればよく、自身の印刷物の中での印刷ジョブごと等の区切りは不要と考えられる場合がある。例えば、同一ユーザの少枚数の印刷ジョブが連続している場合、必ずしもそれらの印刷ジョブの間に合紙を挿入する必要はないと考えられる。このような場合では、印刷ジョブごとに合紙を挿入することは、合紙の無駄になる。
【０００４】
これに対し、特許文献１には、同一ユーザが実行した連続した印刷ジョブについては、印刷ジョブ間に合紙の挿入はしないことが開示されている。これにより、ユーザごとの区切りのみに合紙が挿入されるようにすることで、合紙の無駄を低減している。
【先行技術文献】
【特許文献】
【０００５】
【特許文献１】特開平１１−８４９４８号公報
【発明の概要】
【発明が解決しようとする課題】
【０００６】
しかしながら、ユーザごとの区切りのみに合紙を挿入する場合、印刷ジョブの内容によっては、ユーザにとって不便になることがある。例えば、同一ユーザが多枚数の印刷ジョブを連続して実行した場合、ユーザが印刷物中の印刷ジョブの区切りを判別しにくくなることがある。
【０００７】
本発明は上記に鑑みてなされたもので、利便性の低下を抑えつつ、合紙の無駄を低減できる印刷装置を提供することを目的とする。
【課題を解決するための手段】
【０００８】
上記目的を達成するため、本発明に係る印刷装置の第１の特徴は、用紙に印刷を行うとともに、用紙を仕分けるための合紙を挿入可能な印刷部と、ユーザごとの１または連続する複数の印刷ジョブの後に合紙を挿入するとともに、連続する２つの同一ユーザの印刷ジョブ間で合紙挿入条件が満たされる場合、当該印刷ジョブ間に合紙を挿入するよう前記印刷部を制御する制御部とを備えることにある。
【０００９】
本発明に係る印刷装置の第２の特徴は、前記合紙挿入条件は、連続する２つの同一ユーザの印刷ジョブの少なくともいずれか一方の印刷枚数が所定枚数以上であることにある。
【００１０】
本発明に係る印刷装置の第３の特徴は、前記合紙挿入条件は、連続する２つの同一ユーザの印刷ジョブに設定された後処理の種類が互いに同じであることにある。
【００１１】
本発明に係る印刷装置の第４の特徴は、前記合紙挿入条件は、連続する２つの同一ユーザの印刷ジョブにおける用紙種類が互いに同じであることにある。
【００１２】
本発明に係る印刷装置の第５の特徴は、前記制御部は、ユーザごとの１または連続する複数の印刷ジョブの後に挿入する合紙に、ユーザごとの印刷総枚数を示す情報、各印刷ジョブのジョブ名を示す情報、各印刷ジョブの印刷日時を示す情報、および各印刷ジョブの印刷枚数を示す情報のうちの少なくともいずれか１つを印刷するよう前記印刷部を制御することにある。
【発明の効果】
【００１３】
本発明に係る印刷装置の第１の特徴によれば、ユーザごとの１または連続する複数の印刷ジョブの後に合紙を挿入するとともに、連続する２つの同一ユーザの印刷ジョブ間で合紙挿入条件が満たされる場合、当該印刷ジョブ間に合紙を挿入する。これにより、同一ユーザの印刷ジョブ間では、合紙挿入条件が満たされない位置には合紙を挿入しないので、合紙の無駄を低減できる。また、合紙挿入条件が満たされる位置には合紙を挿入することで、ユーザが印刷ジョブの区切りを判別しにくくなることを抑えることができる。この結果、利便性の低下を抑えつつ、合紙の無駄を低減できる。
【００１４】
本発明に係る印刷装置の第２の特徴によれば、合紙挿入条件として、連続する２つの同一ユーザの印刷ジョブの少なくともいずれか一方の印刷枚数が所定枚数以上であることを採用する。これにより、同一ユーザの印刷ジョブが連続する場合でも、所定枚数以上の印刷ジョブの前後の位置に合紙を挿入できる。この結果、印刷ジョブ間の区切りが判別しにくくなりやすい多枚数の印刷ジョブの前後において、印刷ジョブの区切りを判別しやすくすることができる。
【００１５】
本発明に係る印刷装置の第３の特徴によれば、合紙挿入条件として、連続する２つの同一ユーザの印刷ジョブに設定された後処理の種類が互いに同じであることを採用する。これにより、後処理の種類が互いに同じである同一ユーザの２つの印刷ジョブ間に合紙を挿入できる。この結果、同一ユーザで後処理の種類が同じ印刷ジョブが連続する場合において、印刷ジョブの区切りを判別しやすくすることができる。
【００１６】
本発明に係る印刷装置の第４の特徴によれば、合紙挿入条件として、連続する２つの同一ユーザの印刷ジョブにおける用紙種類が互いに同じであることを採用する。これにより、用紙種類が互いに同じである同一ユーザの２つの印刷ジョブ間に合紙を挿入できる。この結果、同一ユーザで用紙種類が同じ印刷ジョブが連続する場合において、印刷ジョブの区切りを判別しやすくすることができる。
【００１７】
本発明に係る印刷装置の第５の特徴によれば、ユーザごとの１または連続する複数の印刷ジョブの後に挿入する合紙に、ユーザごとの印刷総枚数を示す情報、各印刷ジョブのジョブ名を示す情報、各印刷ジョブの印刷日時を示す情報、および各印刷ジョブの印刷枚数を示す情報のうちの少なくともいずれか１つを印刷する。これにより、ユーザが印刷状況を把握しやすくすることができる。
【図面の簡単な説明】
【００１８】
【図１】実施の形態に係る印刷装置の構成を示すブロック図である。
【図２】実施の形態に係る印刷装置の印刷部および排紙部の概略構成図である。
【図３】実施の形態に係る印刷装置の動作を説明するためのフローチャートである。
【図４】ジョブリストの一例を示す図である。
【図５】排紙台上に積載された用紙に対する合紙挿入の状態の一例を示す図である。
【発明を実施するための形態】
【００１９】
以下、本発明の実施の形態について、図面を参照して説明する。各図面を通じて同一もしくは同等の部位や構成要素には、同一もしくは同等の符号を付している。ただし、図面は模式的なものであり、現実のものとは異なることに留意すべきである。また、図面相互間においても互いの寸法の関係や比率が異なる部分が含まれていることはもちろんである。
【００２０】
また、以下に示す実施の形態は、この発明の技術的思想を具体化するための装置等を例示するものであって、この発明の技術的思想は、各構成部品の配置等を下記のものに特定するものでない。この発明の技術的思想は、特許請求の範囲において、種々の変更を加えることができる。
【００２１】
図１は、本発明の実施の形態に係る印刷装置の構成を示すブロック図、図２は、印刷装置の印刷部および排紙部の概略構成図である。以下の説明において、ユーザが位置する図２の紙面表方向を前方とする。また、図２に示すように、ユーザから視て、上下左右を上下左右方向とする。
【００２２】
図２において太線で示す経路が、印刷媒体である用紙Ｐが搬送される搬送経路Ｒである。以下の説明における上流、下流は、搬送経路Ｒにおける上流、下流を意味する。
【００２３】
図１に示すように、本実施の形態に係る印刷装置１は、印刷部２と、排紙部３と、操作入力部４と、制御部５とを備える。
【００２４】
印刷部２は、用紙Ｐを搬送しつつ、用紙Ｐに印刷を行う。また、印刷部２は、印刷ジョブに基づく印刷は行わない用紙Ｐを給紙することで、当該用紙Ｐを合紙として挿入可能である。図１、図２に示すように、印刷部２は、給紙部１１と、ベルト搬送部１２と、インクジェットヘッド部１３とを備える。
【００２５】
給紙部１１は、用紙Ｐの給紙を行う。給紙部１１は、外部給紙台２１と、外部給紙ローラ２２と、複数の内部給紙台２３と、複数対の内部給紙ローラ２４と、複数対の縦搬送ローラ２５と、レジストローラ２６とを備える。
【００２６】
外部給紙台２１は、印刷に用いられる用紙Ｐが積載されるものである。外部給紙台２１は、一部が印刷装置１の筐体（図示せず）の外部に露出して設置されている。
【００２７】
外部給紙ローラ２２は、外部給紙台２１から用紙Ｐを１枚ずつ取り出し、搬送経路Ｒに沿ってレジストローラ２６へ向けて搬送する。外部給紙ローラ２２は、外部給紙台２１の上側に配置されている。外部給紙ローラ２２は、図示しないモータにより回転駆動される。
【００２８】
内部給紙台２３は、印刷に用いられる用紙Ｐが積載されるものである。内部給紙台２３は、印刷装置１の筐体（図示せず）の内部に配置されている。
【００２９】
内部給紙ローラ２４は、内部給紙台２３から用紙Ｐを１枚ずつ取り出して搬送経路Ｒへ送り出す。内部給紙ローラ２４は、内部給紙台２３の上側に設けられている。内部給紙ローラ２４は、図示しないモータにより回転駆動される。
【００３０】
縦搬送ローラ２５は、内部給紙台２３から取り出された用紙Ｐをレジストローラ２６へ向けて搬送する。縦搬送ローラ２５は、内部給紙ローラ２４とレジストローラ２６との間の搬送経路Ｒに沿って配置されている。縦搬送ローラ２５は、図示しないモータにより回転駆動される。
【００３１】
レジストローラ２６は、外部給紙ローラ２２および縦搬送ローラ２５から搬送されてきた用紙Ｐを一旦止めた後、ベルト搬送部１２に向けて搬送する。レジストローラ２６は、外部給紙ローラ２２および縦搬送ローラ２５の下流側に配置されている。レジストローラ２６は、図示しないモータにより回転駆動される。
【００３２】
ベルト搬送部１２は、レジストローラ２６から搬送されてきた用紙Ｐをベルト上に吸着保持して搬送する。ベルト搬送部１２は、レジストローラ２６の下流側に配置されている。ベルト搬送部１２は、図示しないモータにより駆動される。
【００３３】
インクジェットヘッド部１３は、用紙Ｐの搬送方向と略直交する方向（前後方向）に複数のノズルが配列されたライン型の複数のインクジェットヘッド（図示せず）を有する。インクジェットヘッド部１３は、ベルト搬送部１２の上方に配置されている。インクジェットヘッド部１３は、ベルト搬送部１２により搬送される用紙Ｐにインクジェットヘッドからインクを吐出して画像を印刷する。
【００３４】
排紙部３は、印刷部２で印刷された用紙Ｐを排紙する。図２に示すように、排紙部３は、印刷部２の下流側に配置されている。排紙部３は、排紙ローラ３１と、排紙台３２とを備える。
【００３５】
排紙ローラ３１は、ベルト搬送部１２により搬送されてきた用紙Ｐを搬送して排紙台３２へ排紙する。排紙ローラ３１は、搬送経路Ｒに沿って、ベルト搬送部１２と排紙台３２との間に配置されている。排紙ローラ３１は、図示しないモータにより回転駆動される。
【００３６】
排紙台３２は、排紙ローラ３１により搬送されてきた用紙Ｐが積載されるものである。排紙台３２は、搬送経路Ｒの下流端に配置されている。
【００３７】
操作入力部４は、ユーザによる入力操作を受け付ける。操作入力部４は、ユーザが各種の入力操作を行うための操作ボタン、タッチパネル（いずれも図示せず）等を備える。
【００３８】
制御部５は、印刷装置１全体の動作を制御する。制御部５は、ＣＰＵ、ＲＡＭ、ＲＯＭ、ハードディスク等を備えて構成される。
【００３９】
印刷装置１は、印刷ジョブのユーザ単位で合紙を挿入する設定になっている。このため、制御部５は、ユーザごとの１または連続する複数の印刷ジョブの後に合紙を挿入するよう印刷部２を制御する。さらに、制御部５は、連続する２つの同一ユーザの印刷ジョブ間で合紙挿入条件が満たされる場合に、当該印刷ジョブ間に合紙を挿入するよう印刷部２を制御する。
【００４０】
印刷装置１では、ユーザが操作入力部４を操作することで、上述した合紙の挿入を設定できる。なお、印刷装置１では当該設定は行わず、印刷装置１へ印刷ジョブを出力する図示しない外部端末のプリンタドライバにおいて当該設定を行うようにしてもよい。
【００４１】
次に、印刷装置１の動作について説明する。
【００４２】
図３は、印刷装置１の動作を説明するためのフローチャートである。図３のフローチャートの処理は、外部端末から印刷ジョブが入力されることにより開始となる。印刷ジョブには、当該印刷ジョブを出力したユーザ名、印刷枚数等を示す情報が含まれる。
【００４３】
印刷ジョブが入力されると、図３のステップＳ１において、制御部５は、当該印刷ジョブを実行する。これにより、用紙Ｐの給紙、印刷、排紙が行われる。
【００４４】
印刷ジョブの実行が開始されると、給紙部１１の外部給紙台２１および複数の内部給紙台２３のいずれかから、用紙Ｐがレジストローラ２６へ搬送される。次いで、用紙Ｐは、レジストローラ２６によりベルト搬送部１２へ送り出され、ベルト搬送部１２により搬送されつつ、インクジェットヘッド部１３により印刷される。印刷された用紙Ｐは、排紙ローラ３１により排紙台３２へ排紙される。
【００４５】
印刷枚数が複数枚数である場合、印刷枚数分の用紙Ｐが順次給紙され、印刷されて排紙される。
【００４６】
次いで、ステップＳ２において、制御部５は、印刷ジョブの終了時に、連続して実行する次の印刷ジョブがあるか否かを判断する。
【００４７】
ここで、印刷ジョブの実行中において、他の印刷ジョブが入力された場合、制御部５は、この印刷ジョブをストックする。そして、制御部５は、実行中の印刷ジョブの終了後、これに連続して、ストック済みの印刷ジョブを実行する。制御部５は、複数の印刷ジョブをストック可能である。
【００４８】
次の印刷ジョブがあると判断した場合（ステップＳ２：ＹＥＳ）、ステップＳ３において、制御部５は、次の印刷ジョブのユーザが、その直前の印刷ジョブのユーザと同一であるか否かを判断する。ここで、制御部５は、印刷ジョブに含まれるユーザ名を示す情報から、両印刷ジョブのユーザが同一であるか否かを判断する。
【００４９】
両印刷ジョブのユーザが同一であると判断した場合（ステップＳ３：ＹＥＳ）、ステップＳ４において、制御部５は、両印刷ジョブ間で合紙挿入条件が満たされるか否かを判断する。具体的には、制御部５は、両印刷ジョブのうちの少なくともいずれか一方の印刷枚数が所定枚数以上であるか否かを判断する。なお、この所定枚数は、ユーザが設定可能としてもよい。
【００５０】
合紙挿入条件が満たされると判断した場合（ステップＳ４：ＹＥＳ）、ステップＳ５において、制御部５は、合紙を出力させる。具体的には、制御部５は、給紙部１１の外部給紙台２１および複数の内部給紙台２３のいずれかから、合紙としての用紙Ｐを給紙させる。制御部５は、この合紙には印刷を行わずに排紙させる。この後、制御部５は、ステップＳ１へ戻る。これにより、合紙挿入条件を満たす同一ユーザの連続する印刷ジョブ間に合紙が挿入されることになる。この合紙挿入条件を満たす同一ユーザの連続する印刷ジョブ間に挿入される合紙を、適宜、同一ユーザ内合紙とよぶ。
【００５１】
なお、合紙として用いる用紙Ｐとして、所定の色の用紙Ｐを、外部給紙台２１および複数の内部給紙台２３のいずれかに予めセットしておき、これを合紙として出力することが好ましい。
【００５２】
合紙挿入条件が満たされていないと判断した場合（ステップＳ４：ＮＯ）、制御部５は、ステップＳ５を省略してステップＳ１へ戻る。これにより、合紙挿入条件を満たさない同一ユーザの連続する印刷ジョブ間では、合紙は挿入されないことになる。
【００５３】
ステップＳ３において、両印刷ジョブのユーザが同一ではないと判断した場合（ステップＳ３：ＮＯ）、ステップＳ６において、制御部５は、合紙に後述するジョブリストを印刷して出力させる。この後、制御部５は、ステップＳ１へ戻る。ステップＳ６の合紙は、ユーザごとの１または連続する複数の印刷ジョブの終了時に挿入されることになる。この合紙を、適宜、ユーザ判別用合紙とよぶ。
【００５４】
ジョブリストは、ユーザ判別用合紙に印刷されるものであり、前回のユーザ判別用合紙の挿入時点から、今回のユーザ判別用合紙の挿入時点までに実行された印刷ジョブのリストである。今回のユーザ判別用合紙が一連の動作で最初のユーザ判別用合紙である場合は、ジョブリストは、一連の動作の開始から今回のユーザ判別用合紙の挿入時点までに実行された印刷ジョブのリストである。図４に示すように、ジョブリストは、ユーザ名と、印刷総枚数と、各印刷ジョブのジョブ名と、各印刷ジョブの印刷日時と、各印刷ジョブの印刷枚数とを含む。
【００５５】
ステップＳ２において、次の印刷ジョブはないと判断した場合（ステップＳ２：ＮＯ）、ステップＳ６において、制御部５は、合紙（ユーザ判別用合紙）にジョブリストを印刷して出力させる。以上により、一連の動作が終了する。
【００５６】
上述した動作により排紙台３２上に積載された用紙Ｐに対する合紙挿入の状態の一例を図５に示す。図５は、ユーザＡの印刷ジョブであるジョブＪＡ１〜ＪＡ４、およびユーザＢの印刷ジョブであるジョブＪＢ１〜ＪＢ３が連続して実行された例を示す。
【００５７】
図５に示すように、ユーザＡのジョブＪＡ１〜ＪＡ４の終了時、およびユーザＢのジョブＪＢ１〜ＪＢ３の終了時に、それぞれユーザ判別用合紙ＰＡ１が挿入されている。ユーザ判別用合紙ＰＡ１には、ジョブリストが印刷されている。
【００５８】
ジョブＪＡ４とジョブＪＢ１との間のユーザ判別用合紙ＰＡ１に印刷されるジョブリストには、ユーザ名としてユーザＡ、ジョブ名としてジョブＪＡ１〜ＪＡ４が含まれる。ジョブＪＢ３の上側のユーザ判別用合紙ＰＡ１に印刷されるジョブリストには、ユーザ名としてユーザＢ、ジョブ名としてジョブＪＢ１〜ＪＢ３が含まれる。
【００５９】
ここで、ジョブＪＡ１〜ＪＡ４はそれぞれ印刷枚数が比較的少なく、ジョブＪＡ１〜ＪＡ４の各印刷ジョブ間では合紙挿入条件は満たされない。このため、ジョブＪＡ１〜ＪＡ４における印刷ジョブ間には合紙は挿入されていない。
【００６０】
一方、ジョブＪＢ１〜ＪＢ３はそれぞれ印刷枚数が比較的多く、ジョブＪＢ１〜ＪＢ３の各印刷ジョブ間では合紙挿入条件が満たされる。このため、ジョブＪＢ１とジョブＪＢ２との間、およびジョブＪＢ２とジョブＪＢ３との間に、それぞれ同一ユーザ内合紙ＰＡ２が挿入されている。
【００６１】
以上説明したように、印刷装置１では、ユーザ判別用合紙ＰＡ１に加えて、合紙挿入条件を満たす同一ユーザの印刷ジョブ間に同一ユーザ内合紙ＰＡ２を挿入している。これにより、同一ユーザの印刷ジョブ間では、合紙挿入条件が満たされない位置には合紙を挿入しないので、合紙の無駄を低減できる。また、合紙挿入条件が満たされる位置には合紙を挿入することで、ユーザが印刷ジョブの区切りを判別しにくくなることを抑えることができる。このように、印刷装置１によれば、利便性の低下を抑えつつ、合紙の無駄を低減できる。
【００６２】
また、印刷装置１では、合紙挿入条件として、連続する２つの同一ユーザの印刷ジョブの少なくともいずれか一方の印刷枚数が所定枚数以上であることを採用している。これにより、同一ユーザの印刷ジョブが連続する場合でも、所定枚数以上の印刷ジョブの前後の位置に同一ユーザ内合紙ＰＡ２を挿入できる。この結果、印刷ジョブ間の区切りが判別しにくくなりやすい多枚数の印刷ジョブの前後において、印刷ジョブの区切りを判別しやすくすることができる。
【００６３】
また、印刷装置１では、ユーザ判別用合紙ＰＡ１に、ジョブリストを印刷している。これにより、ユーザが印刷状況を把握しやすくすることができる。ジョブリストは、各印刷ジョブの印刷枚数を含む。これにより、印刷ジョブ間に同一ユーザ内合紙ＰＡ２が挿入されていない場合でも、印刷ジョブごとの仕分けを行いやすくすることができる。
【００６４】
なお、同一ユーザ内合紙ＰＡ２にユーザ名、ジョブ名と、印刷日時、印刷枚数等の印刷ジョブに関する情報を印刷してもよい。
【００６５】
印刷装置１は、複数種類の後処理が可能な後処理装置を備える構成でもよい。後処理の種類としては、ステープル処理、パンチ処理等がある。実行する後処理の種類は、印刷ジョブに設定される。この場合において、合紙挿入条件として、連続する２つの同一ユーザの印刷ジョブに設定された後処理の種類が互いに同じであることを採用してもよい。
【００６６】
この場合、後処理の種類が互いに同じである同一ユーザの２つの印刷ジョブ間に同一ユーザ内合紙ＰＡ２を挿入できる。これにより、同一ユーザで後処理の種類が同じ印刷ジョブが連続する場合でも、印刷ジョブの区切りを判別しやすくすることができる。一方、連続する２つの印刷ジョブに対する後処理の内容が互いに異なるものであれば、印刷ジョブ間の区切りは明確であるため、当該印刷ジョブ間に同一ユーザ内合紙ＰＡ２の挿入は行わない。ここで、同一ユーザ内合紙ＰＡ２の挿入の対象とする後処理の種類をユーザが設定可能としてもよい。
【００６７】
また、合紙挿入条件として、連続する２つの同一ユーザの印刷ジョブにおける用紙種類が互いに同じであることを採用してもよい。
【００６８】
この場合、用紙種類が互いに同じである同一ユーザの２つの印刷ジョブ間に同一ユーザ内合紙ＰＡ２を挿入できる。これにより、同一ユーザで用紙種類が同じ印刷ジョブが連続する場合でも、印刷ジョブの区切りを判別しやすくすることができる。一方、連続する２つの印刷ジョブにおける用紙種類が互いに異なるものであれば、印刷ジョブ間の区切りは明確であるため、当該印刷ジョブ間に同一ユーザ内合紙ＰＡ２の挿入は行わない。ここで、同一ユーザ内合紙ＰＡ２の挿入の対象とする用紙種類をユーザが設定可能としてもよい。
【００６９】
本発明は上記実施の形態そのままに限定されるものではなく、実施段階ではその要旨を逸脱しない範囲で構成要素を変形して具体化できる。また、上記実施の形態に開示されている複数の構成要素の適宜な組み合せにより、種々の発明を形成できる。例えば、実施の形態に示される全構成要素から幾つかの構成要素を削除してもよい。
【符号の説明】
【００７０】
１  印刷装置
２  印刷部
３  排紙部
４  操作入力部
５  制御部
１１  給紙部
１２  ベルト搬送部
１３  インクジェットヘッド部
３２  排紙台
Ｐ  用紙
ＰＡ１  ユーザ判別用合紙
ＰＡ２  同一ユーザ内合紙
【図１】
2014133328.tif 000003
【図２】
2014133328.tif 000004
【図３】
2014133328.tif 000005
【図４】
2014133328.tif 000006
【図５】
2014133328.tif 000007